(57)【要約】【課題】打撃時の安定性を向上したゴルフクラブヘッドを提供すること。【解決手段】本ゴルフクラブヘッドは、フェース打撃部を備えたゴルフクラブヘッドであって、前記フェース打撃部は、周辺部と、前記周辺部よりも厚い厚肉部と、を有し、前記厚肉部は、上下非対称の形状であり、トウ−ヒール方向の長さが、ソール側へいくに従い小さくなる部分を有する。【選択図】図２
2018093959.tif 000002
【特許請求の範囲】
【請求項１】
フェース打撃部を備えたゴルフクラブヘッドであって、
前記フェース打撃部は、周辺部と、前記周辺部よりも厚い厚肉部と、を有し、
前記厚肉部は、上下非対称の形状であり、トウ−ヒール方向の長さが、ソール側へいくに従い小さくなる部分を有することを特徴とするゴルフクラブヘッド。
【請求項２】
前記厚肉部は、中央厚肉部と、前記中央厚肉部から周辺部に向かい厚さが減少する移行部と、を有することを特徴とする請求項１に記載のゴルフクラブヘッド。
【請求項３】
前記フェース打撃部に複数のスコアラインが配列され、トウ−ヒール方向において、前記中央厚肉部の中心は、前記スコアラインのうちの最もトウ−ヒール方向に長いスコアラインの中心に位置することを特徴とする請求項２に記載のゴルフクラブヘッド。
【請求項４】
前記フェース打撃部の背面の下部に凹部を配置したことを特徴とする請求項１乃至３の何れか一項に記載のゴルフクラブヘッド。
【請求項５】
前記厚肉部のトウ−ヒール方向の長さは、前記凹部のトウ−ヒール方向の長さより小さいことを特徴とする請求項４に記載のゴルフクラブヘッド。
【請求項６】
ヘッド本体部と、フェース部材と、を有し、
前記フェース部材は、前記フェース打撃部と、前記フェース打撃部の下端から後方へ延びる後方延長部と、を有することを特徴とする請求項１乃至５の何れか一項に記載のゴルフクラブヘッド。
【発明の詳細な説明】
【技術分野】
【０００１】
本発明は、ゴルフクラブヘッドに関する。
【背景技術】
【０００２】
従来のゴルフクラブヘッドにおいて、ゴルフボールをフェース部のセンターで打撃した時とオフセンターで打撃した時では飛距離差が出てしまい、飛距離が安定しない場合がある。打撃性能を向上させる技術としては、例えば、特許文献１〜９に記載の技術が挙げられる。
【先行技術文献】
【特許文献】
【０００３】
【特許文献１】特開２０１６−１３５４５２号公報
【特許文献２】特開２０１５−０２９８３６号公報
【特許文献３】特開２０１５−０１９７４６号公報
【特許文献４】特開２０１２−２４５０８０号公報
【特許文献５】特開２０１２−１１５３９３号公報
【特許文献６】特開２００８−０７３１０６号公報
【特許文献７】特開２００４−１８７７１０号公報
【特許文献８】特開２００３−１１７０３２号公報
【特許文献９】米国特許明細書第９１６８４３７号
【発明の概要】
【発明が解決しようとする課題】
【０００４】
本発明は、打撃時の安定性を向上したゴルフクラブヘッドを提供することを目的とする。
【課題を解決するための手段】
【０００５】
本ゴルフクラブヘッドは、フェース打撃部を備えたゴルフクラブヘッドであって、前記フェース打撃部は、周辺部と、前記周辺部よりも厚い厚肉部と、を有し、前記厚肉部は、上下非対称の形状であり、トウ−ヒール方向の長さが、ソール側へいくに従い小さくなる部分を有することを要件とする。
【発明の効果】
【０００６】
開示の技術によれば、打撃時の安定性を向上したゴルフクラブヘッドを提供できる。
【図面の簡単な説明】
【０００７】
【図１】本実施の形態に係るゴルフクラブヘッド１を例示する正面図である。
【図２】本実施の形態に係るゴルフクラブヘッド１を例示する背面図である。
【図３】本実施の形態に係るゴルフクラブヘッド１を例示する断面図である。
【発明を実施するための形態】
【０００８】
以下、図面を参照して、実施の形態の説明を行う。なお、各図面において、同一構成部分には同一符号を付し、重複した説明を省略する場合がある。
【０００９】
図１は、本実施の形態に係るゴルフクラブヘッド１を例示する正面図である。図２は、本実施の形態に係るゴルフクラブヘッド１を例示する背面図である。図３は、本実施の形態に係るゴルフクラブヘッド１を例示する断面図であり、フェース部材２０の略中央を通るようにフェース−バック方向に切断した縦断面を示している。
【００１０】
図１〜図３では、ゴルフクラブヘッド１をフェース面２０ｆ側から視た図を正面図としており、ゴルフクラブヘッド１を水平面（地面に相当）に基準のライ角及び基準のロフト角通りに接地した場合を図示している。また、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１〜図３に示すゴルフクラブヘッド１は、アイアン型のゴルフクラブヘッドであり、ヘッド本体部１０と、ヘッド本体部１０に接合されたフェース部材２０とを有する構造体である。
【００１２】
ヘッド本体部１０は、本体フェース部１１と、バック部１２と、ソール部１３と、ホゼル部１５とを有している。ヘッド本体部１０は、例えば、チタン合金、チタン、ステンレス、アルミニウム合金等の金属材料を用いて形成することができる。
【００１３】
ヘッド本体部１０には、フェース部材２０が溶接等により接合されている。フェース部材２０は、フェース打撃部２１と、フェース打撃部２１の下端から後方（バック側）へ延びる後方延長部２２とを有する、断面形状が略Ｌ字形の部材である。フェース部材２０は、例えば、チタン合金、チタン、ステンレス、アルミニウム合金等の金属材料を用いて形成することができる。
【００１４】
フェース打撃部２１は、打撃面となるフェース面２０ｆを備えている。なお、フェース打撃部２１は所定の厚みを有しており、フェース面２０ｆはフェース打撃部２１の外面をなしている。フェース打撃部２１には、トウ−ヒール方向を長手方向とする複数のスコアライン２０Ｓ（フェース面２０ｆから窪む溝）が、所定間隔でトップ−ソール方向に配列されている。
【００１５】
フェース打撃部２１は、背面側（フェース面２０ｆと反対面側）に、周辺部３３と、周辺部３３よりも厚い厚肉部３０とを有している。すなわち、フェース打撃部２１の背面において、厚肉部３０以外の部分が周辺部３３である。
【００１６】
厚肉部３０は、中央厚肉部３１と、中央厚肉部３１から周辺部３３に向かい厚さが徐々に減少する移行部３２とを有している。周辺部３３の厚さは例えば１．５ｍｍ〜３ｍｍであり、中央厚肉部３１は周辺部３３から０．１ｍｍ〜１ｍｍバック側に突出している。
【００１７】
トウ−ヒール方向において、中央厚肉部３１の中心Ｏは、複数のスコアライン２０Ｓのうち最もトウ−ヒール方向に長いスコアラインの中心に位置している。なお、図１において、破線ＳＬは、中央厚肉部３１の中心Ｏを通りトウ−ヒール方向に平行な線を示している。
【００１８】
厚肉部３０は、中央厚肉部３１の中心Ｏが位置する破線ＳＬに対して上下非対称の形状である。厚肉部３０は、破線ＳＬよりもソール側において、トウ−ヒール方向の長さが、ソール側へいくに従い小さくなる部分を有しており、図１に示す実施の形態では、略三角形となっている。これにより、オフセンターへいくに従い、徐々に周辺部３３の領域（センターよりも厚さが薄い領域）が広がり、オフセンターで打撃した時の飛距離の低減を抑制することができる。つまり、ゴルフボールをフェース打撃部２１のセンターで打撃した時とオフセンターで打撃した時の飛距離差を低減することができる。
【００１９】
また、厚肉部３０は、中央厚肉部３１の中心Ｏを通りスコアライン２０Ｓに垂直な線に対して左右非対称の形状である。具体的には、図１に示すように、破線ＳＬよりもトップ側において移行部３２の形状がヒール側からトウ側へいくに従い、高さ（トップ−ソール方向）が大きくなっている。
【００２０】
フェース打撃部２１の背面の下部（フェース打撃部２１と後方延長部２２との境界部近傍）には、トウ−ヒール方向を長手方向とする凹部４０が配置されている。凹部４０は、フェース打撃部２１の背面から外方側に窪んでいる。但し、凹部４０はフェース打撃部２１の外面からゴルフクラブヘッド１の外方側には突出していない。従って、凹部４０はゴルフクラブヘッド１のフェース側から視認することはできない。凹部４０を設けることにより、ゴルフボールを打撃した時のフェース打撃部２１の撓みを大きくすることができる。
【００２１】
厚肉部３０のトウ−ヒール方向の長さＬ１は、凹部４０のトウ−ヒール方向な長さＬ２より小さい。これにより、オフセンターで打撃した時の飛距離の低減をより抑制することができる。厚肉部３０のトウ−ヒール方向の長さＬ１は、例えば、１５ｍｍ以上４０ｍｍ以下とすることができる。また、凹部４０のトウ−ヒール方向な長さＬ２は、例えば、３０ｍｍ以上７０ｍｍ以下とすることができる。
【００２２】
このように、ゴルフクラブヘッド１では、フェース打撃部２１は、周辺部３３と、周辺部３３よりも厚い厚肉部３０とを有し、厚肉部３０は、上下非対称の形状であり、トウ−ヒール方向の長さがソール側へいくに従い小さくなる部分を有する。すなわち、フェース打撃部２１のセンター近傍に厚肉部３０が設けられ、厚肉部３０の周辺となる周辺部３３は厚肉部３０よりも薄く形成されている。これにより、ゴルフボールをフェース打撃部２１のセンターで打撃した時とオフセンターで打撃した時の飛距離差を低減し、打撃時の安定性を向上させることができる。
【００２３】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００２４】
例えば、上記の実施の形態では、ヘッド本体部１０とフェース部材２０とを接合したゴルフクラブヘッド１を例にして説明したが、本発明は、ヘッド本体部とフェース部材とが一体構造であるゴルフクラブヘッドに適用することも可能である。
【符号の説明】
【００２５】
１  ゴルフクラブヘッド
１０  ヘッド本体部
１１  本体フェース部
１２  バック部
１３  ソール部
１５  ホゼル部
２０  フェース部材
２０ｆ  フェース面
２０Ｓ  スコアライン
２１  フェース打撃部
２２  後方延長部
３０  厚肉部
３１  中央厚肉部
３２  移行部
３３  周辺部
４０  凹部
【図１】
2018093959.tif 000003
【図２】
2018093959.tif 000004
【図３】
2018093959.tif 000005